(57)【要約】【課題】差動伝送による信号伝送の高速化が進んでおり、差動伝送ラインのノイズ対策に使う信号伝送路間の浮遊容量を小さくしたコモンモードチョークコイルが必要である。【解決手段】電磁気的に同質の2つの磁性体コアで、それぞれの両端部に鍔部を設け、この磁性体コアに巻き線の方向が逆になるように巻いて２個のコイルとし、その２個のコイルを距離を離した状態で鍔部で組み合わせて、磁気的に結合させてコモンモードチョークコイルを構成した。これにより信号伝送路間に発生する浮遊容量を小さくでき、差動伝送ラインのノイズ除去に有効なコモンモードチョークコイルを完成した。【選択図】  図５
2010153684.tif 000002
【特許請求の範囲】
【請求項１】
電磁的に同質の材料からなる第一および第二の磁性体コアと、該第一および第二の磁性体コアの長さ方向両端に設けられた電極と、該第一および第二の磁性体コアにそれぞれ巻き回された第一および第二のコイルであって、該第一および第二のコイルの両端がそれぞれの磁性体コアの該電極に接続されている該第一および第二のコイルとを備えているコモンモードチョークコイルであって、該第一および第二のコイルは、コイルの軸方向に対して並列に離れて配置され、該第一および第二のコイルの巻き線方向が互いに対して反対になるよう巻き回されており、該電極は同一平面上に設けられ、該第一および第二の磁性体コアの両端において該第一および第二の磁性体コアが接して磁気結合している、コモンモードチョークコイル。
【請求項２】
前記第一および第二の磁性体コアは、該第一および第二の磁性体コアの両端部で接合剤により接合されて磁気結合し、前記第一および第二のコイルが一体化している、請求項１に記載のコモンモードチョークコイル。
【請求項３】
前記第一および第二の磁性体コアは、長さ方向の両端部において鍔部を有し、該第一および第二の磁性体コアは、該鍔部で磁気結合し、該第一および第二の磁性体コア両端部の該鍔部面に前記電極が設けられ、該鍔部面の該電極は同一平面にあり、該第一の磁性体コアの該電極と該第二の磁性体コアの該電極は、同一平面上で対向して離れて設けられている、請求項１または請求項２に記載のコモンモードチョークコイル。
【請求項４】
前記第一および第二の磁性体コアの前記電極構成面を除く少なくとも一つの側面を包み込むことにより、該第一および第二のコイルを一体にする非磁性材料からなる一体化部材をさらに備えている請求項１から請求項３のいずれか1つに記載のコモンモードチョークコイル。
【請求項５】
前記電極上に、該電極から突出する位置決め部材をさらに備えている、請求項１から請求項４のいずれか1つに記載のコモンモードチョークコイル。
【請求項６】
電磁的に同質の材料からなる第一および第二の磁性体コアを準備する工程と、該第一および第二の磁性体コアの長さ方向で、同一平面にある両端部に電極を設ける工程と、該第一および第二の磁性体コアにそれぞれ巻き回された第一および第二のコイルを形成し、それぞれのコイルの両端を該電極に接続する工程と、該第一および第二のコイルを巻き線方向が互いに対して反対になるように配置し、かつ、該第一および第二のコイルのコイル軸方向に対して並列に離して配置する工程と、該第一および第二の磁性体コアの両端において該第一および第二の磁性体コアを接合させて該第一および第二のコイルを一体化する工程を備えるコモンモードチョークコイルの製造方法。  
【発明の詳細な説明】
【技術分野】
【０００１】
本発明は電磁ノイズの対策などに使われる電子部品であるコモンモードチョークコイルに関する。
【背景技術】
【０００２】
デジタル機器が多くの分野で使われるようになり、デジタル信号の伝送路のノイズ対策が必要となっている。デジタル信号の伝送方式に2種類があり、通常のシングルエンドドライブの伝送方式では、信号伝送路は１つであり、伝送されるデジタル信号は、ノイズを放射しやすく、また、外来ノイズの影響も受ける。これに対し、差動信号伝送は、２つの信号伝送路を利用し、この信号伝送路対を使って、互いに正反対極性の信号波形が伝送される方式で、ノイズに強い特性を有している。高速デジタル機器において、代表的なインターフェースであるUSB、LAN、LVDSなどで、差動信号伝送が広く使われるようになってきている。
【０００３】
しかし、この差動信号伝送でも、伝送信号の処理回路や両伝送路で信号に位相差やレベル差などが生じるとノイズ放射の原因になるコモンモードノイズが発生する。また差動信号回路周辺のインピーダンスのバランスが崩れると、放射ノイズ等の外来ノイズの影響を受ける。
こうした差動信号伝送のノイズ対策として、コモンモードチョークコイルが一般的使われるようになってきている。基本的な構造は図１に示す構造であり、１つの磁性体コア１にコイル３とコイル６が交互に整列して巻回されて構成されている。コイル３の電極４，５とコイル６の電極７，８が磁性体コアの一側面に平行して、また、電極４と７、電極５と８が対向して設けられている。次の文献にこの基本的な構造が示される。
【特許文献１】特開2002-246244号このタイプのコモンモードチョークコイルは、それぞれの信号伝送路につながる2つのコイルが同一の磁性体コアに交互に巻かれ、両コイルは隣接している。そのため2つのコイルの間、あるいはコイルからコアを経由してコイル間に多くの電気力線が発生し、両信号伝送路のコイル間、すなわち、信号伝送路間に浮遊容量が発生する。コイルの巻き数を増やすと巻き数に比例して信号伝送路間の浮遊容量も大きくなる。
【０００４】
この浮遊容量が、伝送される信号の波形を歪ませる原因となっている。インピーダンスを増やすために巻き数をふやせば、必然的に浮遊容量が大きくなり、信号波形は大きく歪むことになる。このコイルの巻き数に比例する浮遊容量の増大も大きな課題である。さらに差動信号伝送が高速になりその信号周波数が上がると、小さな浮遊容量でも信号波形歪みが大きくなり、実用上使えなくなるという問題がある。
【０００５】
最近では、差動信号伝送の信号周波数が高くなってきており、信号波形を歪ませないコモンモードノイズ対策が重要な問題となってきている。こうした問題を解決するため、信号伝送路間の浮遊容量を小さく抑えた実用的なコモンモードチョークコイルが必要となっている。
【０００６】
こうした問題を解決するため、信号伝送路間の浮遊容量を小さく抑えることのできるコモンモードチョークコイルが提案されている。
【特許文献２】特開2002-198236号
【特許文献３】特開2004-214334号特許文献２では、トロイダルコアに２つのコイルを巻いたコモンモードチョークコイルが示されている。基本的な構造を図２に従来技術として示す。この構造では、コアに囲まれた空間にコイルを巻かなければならず高速の巻き線機が無く、量産に向かない。また、電子デバイスを小型化するために電子デバイス製造過程で、表面実装が現在では主流となっているが、表面実装用の電極を設けにくいという欠点がある。
【０００７】
特許文献３では、ボビンに巻かれた２個のコイルを使い、このコイルにコの字状の磁性体コアを両側から挿入する構造のコモンモードチョークコイルが示されている。基本的な構造を図３に従来技術として示す。この構造では、形状が大きくなり、コストも高くなり、また、表面実装用の電極を設けにくいという欠点がある。
【発明の開示】
【発明が解決しようとする課題】
【０００８】
差動信号伝送による伝送の高速化が進んでおり、信号伝送路のノイズ対策が必須となっている。このノイズ対策に使うコモンモードチョークコイルとして、信号伝送路間の浮遊容量を小さくした、安価で量産に優れ、表面実装部品としても使いやすい、信号波形を歪ませない、小型のコモンモードチョークコイルが必要である。本発明は、こうした課題の解決策を与えるものである。
【課題を解決するための手段】
【０００９】
本発明は、差動信号伝送の信号波形を歪ませずに信号伝送路のノイズ対策ができる、両信号伝送路間の浮遊容量が小さな、小形、低コストのコモンモードチョークコイルを提供する。
【００１０】
請求項１の発明は、2つの信号伝送路に挿入するコモンモードチョークコイルのコイルを２つの磁性体コアに分けて構成し、この２個のコイルを並列に離して配置することにより、両信号伝送路間に発生する浮遊容量を小さくするものである。電気特性および磁気特性の同質な材料からなる第一および第二の磁性体コアを準備する。該磁性体コアの長さ方向の同一平面にある両端部に電極を設け、巻き線の方向が逆になるように巻き回して第一および第二のコイルをつくる。該第一および第二のコイルの両端がそれぞれの磁性体コアの該電極に接続される。これらコイルを、コイルの中心軸に対して並列に距離を離して配置し、該第一および第二の磁性体コアの両端部で、該第一および第二の磁性体コアを接するよう配置させて磁気結合させ、コモンモードチョークコイルを構成する。磁気結合は該第一および第二の磁気コアを密着させればさせるほど、結合損失は小さくなる。この構成により、両信号伝送路間に発生する浮遊容量を小さくすることができる。
【００１１】
請求項2の発明では、請求項１に記載のコモンモードチョークコイルであって、前記第一および第二の磁性体コアは、長さ方向の両端部において接合剤により接合され、磁気結合している。この構成により、前記第一および第二のコイルを一体化でき、該第一および第二のコイルを一定距離だけ離して位置させることができ、信号伝送路間に発生する浮遊容量を小さくすることができる。コイルを別々に作るため量産性も高く、該第一および第二のコイル間距離も一定とした製品の大量生産が可能となる。
【００１２】
請求項3の発明では、請求項１および２に記載のコモンモードチョークコイルであって、前記第一および第二の磁性体コアは、長さ方向の両端部において鍔部を有し、該第一および第二の磁性体コアは、該鍔部で磁気結合し、該第一および第二の磁性体コア両端部の該鍔部面に前記電極が設けられる。該鍔部面の該電極は同一平面にあり、該第一の磁性体コアの該電極と該第二の磁性体コアの該電極は、同一平面上で対向して離れて設けられている。この構成により、該電極間に生じる浮遊容量を小さくすることができる。
【００１３】
請求項４の発明では、請求項１から３のいずれか１つに記載のコモンモードチョークコイルであって、前記第一および第二の磁性体コアの前記電極面を除く少なくとも１つの側面を包み込むことにより、前記第一および第二のコイルを一体にする非磁性材料からなる一体化部材をさらに備えている。該一体化部材により、該第一と第二のコイルを一つの部品にすることができ、生産性が高く、実装時の取扱いが容易な、信号伝送路間に発生する浮遊容量を小さく抑えたコモンモードチョークコイルができる。
【００１４】
請求項５の発明は、前記電極上に、該電極から突出する位置決め部材をさらに備えている、請求項１から請求項４のいずれか1つに記載のコモンモードチョークコイルである。この構造により、配線基板への実装が容易になり、配線基板での位置決めが正しく行なえる。
【００１５】
請求項６の発明は、電磁的に同質の材料からなる第一および第二の磁性体コアを準備する工程と、該第一および第二の磁性体コアの長さ方向の同一平面にある両端部に電極を設ける工程と、該第一および第二の磁性体コアにそれぞれ巻き回された第一および第二のコイルを形成し、それぞれのコイルの両端を該電極に接続する工程と、該第一および第二のコイルの巻き線方向が互いに対して反対になるように配置し、かつ、該第一および第二のコイルのコイル軸方向に対して並列に離して配置する工程と、該第一および第二の磁性体コアの両端において該第一および第二の磁性体コアを接合させて該第一および第二のコイルを一体化する工程を備えるコモンモードチョークコイルの製造方法である。
【発明の効果】
【００１６】
信号伝送路間の浮遊容量の小さいコモンモードチョークコイルは、差動信号伝送ノイズ対策部品として有効であり、本発明のコモンモードチョークコイルは、デジタル機器のノイズ対策に役立つものである。
【００１７】
図４はコモンモードチョークコイルの等価回路図である。部品のカタログなどの回路図には通常書かれていないが、コモンモードチョークコイルには２つのコイルの間にすでに述べた浮遊容量Cが存在する。
【００１８】
本発明のコモンモードチョークコイルは両信号伝送路のコイルが位置的に離れているため、電気力線の発生が少なく、浮遊容量Cが小さくなり、伝送される信号波形の歪みを小さく押さえることができる。また  本発明のコモンモードチョークコイルはコイルの巻き数を増やしても比例して浮遊容量Cを増大することはなく、信号波形の歪を大きくすることはない。
【００１９】
また、従来の同一磁性体コアに二つのコイルを構成したコモンモードチョークコイルでは、巻き線を増やすとコモンモードインピーダンスが大きくなり、放射ノイズ等のノイズ除去効果が大きくなる。本発明は巻き線を巻くスペースが従来の約２倍に増え、巻き数を増やすことができるため、ノイズ対策上大きな利点となる。
【発明を実施するための最良の形態】
【００２０】
以下、本発明の実施の形態について図を参照して説明する。        
【実施例１】
【００２１】
図５は、実施例１を示す本発明の基本的構成要素の構造図である。第一と第二の磁性体コア11と21は、フェライトなどの磁性体であり、電気特性と磁気特性が同質の材料で作られるのが望ましい。磁気体コア11と21の長さ方向の両端部に鍔部が形成されている。第一と第二の磁性体コア11と21にコイルが巻かれ、第一と第二の２つのコイル10と20が作られる。第一および第二のコイル10と20のコイル軸に対して両コイルを並列に離して配置させ、第一と第二の磁性体コア11、21の両端部の該鍔部が接するように配置して磁気結合させ、コモンモードチョークコイルが構成される。第一および第二の磁性体コア11、21の両端鍔部の接触面が平滑なほど、2つの磁性体コアの磁気結合がよくなる。第一と該第二の磁性体コア、11と21に巻かれた、第一と第二のコイル10と20は、ディファレンシャル電流でできる磁束を互いに打ち消しあい、コモンモード電流でできる磁束を足し合わさるように、第一と第二のコイル10、20の巻き線12と22の巻き方向が逆になっている。磁性体コア11と21の両端部の電極として、磁性体コア11と21の同一平面上の鍔部に実装のための金属電極13、14と23、24が設けられ、コイル10と20の両端がそれぞれの電極13、14および23、24に溶着やろう付けなどで接続される。磁性体コア11、21の両端部鍔の大きさを変えることにより、並列に並べた第一と第二のコイル10と20の間隔が変えられるので、これら信号伝送路間の浮遊容量Cが調整できる。
【００２２】
２つのコイル間すなわち信号伝送路間の浮遊容量Cは、図１に示すような従来の代表的なチップコモンモードチョークコイルでは大きく、図５に示す両信号伝送路のコイルの距離が離れている本発明のコモンモードチョークコイルでは小さい。従来の代表的なコモンモードチョークコイルの場合は巻き線の間隔、線の太さ、巻き線数、磁性体コアの透磁率などで異なるが、巻き線数が多くなると浮遊容量Cの値が10pFを越える。一方、本発明のコモンモードチョークコイルは第一と第二のコイルの位置を離すことにより、信号伝送路間の浮遊容量Cの値を数ｐFと小さくすることができ、１pF以下にすることもできる。
【００２３】
磁性体コア11と21の形状は、弓弧状、L字型、コの字型なども可能である。磁気結合部は、弓弧状では長さ方向の両端部で、L字型では「」状に上下部で、コの字状では〔〕状に上下部である。また、磁性体コア11と21の形状として、図６、図７に示す形状の磁性体コアを使ったコモンモードチョークコイルもできる。
【実施例２】
【００２４】
図８は、実施例２を示す構造図である。第一と第二の磁性体コア11と21は、フェライトなどの磁性体であり、電気特性と磁気特性が同質の材料で作られるのが望ましい。第一と第二の磁気体コア11と21の長さ方向の両端部に鍔部が形成されている。第一と第二の磁性体コア11と21にコイルが巻かれ第一と第二の２つのコイル10と20が作られる。第一および第二のコイル10と20のコイル軸に対して両コイルを並列に離れて配置させ、第一と第二の磁性体コア11、21の両端部の該鍔部を合わせて接着剤により接着させ、磁気結合させてコモンモードチョークコイルが形成される。第一と第二の磁性体コア11と21に巻かれた、第一と第二のコイル10と20は、ディファレンシャル電流でできる磁束は互いに打ち消しあい、コモンモード電流でできる磁束は足し合わさるように、第一と第二のコイルの巻き線12と22の巻き方向が逆になっている。磁性体コア11と21の同一平面上の鍔部に実装のための金属電極13、14と23、24が設けられ、コイル12と22の両端がそれぞれの電極13、14と23、24に溶着やろう付けなどで接続される。電極13と23および14と24は対向して距離をおいて設けられ、また、鍔部接着面の中央部が凹型形状となるので、対向する電極間に発生する浮遊容量を小さくすることが出来る。第一および第二の磁性体コア11、21の両端部に設けられる該鍔部の接着面が平滑なほど、2つの該磁性体コアの磁気結合がよくなる。接着材に磁性体粉末を混合すれば、2つのコアの磁気結合をさらに高めることもできる。また、はんだ等の金属の接着剤も使用できる。
【００２５】
第一および第二の磁性体コア11、21の両端に鍔部のある形状について説明したが、実施例１と同様に、第一および第二の磁性体コア11、21の形状は、種々の形状とすることが可能である。
【実施例３】
【００２６】
図９は、実施例３を示す一実施例である。第一と第二の磁性体コア11と21は、電気特性と磁気特性が同じフェライトなどの磁性体である。第一と第二の磁性体コア11、21の長さ方向の両端部に鍔部が形成されている。第一と第二の磁性体コア11、21にコイルが巻かれ第一と第二の２つのコイル10と20が作られる。第一と第二のコイル10と20は、ディファレンシャル電流でできる磁束は互いに打ち消しあい、コモンモード電流でできる磁束は足し合わさるように、第一と第二のコイルの巻き線12と22の巻き方向が逆になっている。第一と第二の磁性体コア11、21の同一平面上の鍔部に面実装のための金属電極13，14と23、24が設けられ、コイル11と21の両端がそれぞれの電極13，14と23、24に溶着やろう付けなどで接続される。第一と第二のコイル10と20を該コイルの軸に対して並列に離れて配置させ、第一と第二の磁性体コア11、21の両端部の鍔部を合わせて磁気結合させ、第一および第二の磁性体コア11、21の該電極面を除く少なくとも１つの側面を包み込むことにより、第一および第二のコイル10と20を一体にして、コモンモードチョークコイルが形成される。非磁性材料からなる該一体化部材2７により、該第一と第二のコイルを一つの部品にすることができる。生産性が高く、実装時の部品ハンドリングの確実性が向上する、取扱いの容易な、信号伝送路間に発生する浮遊容量を小さく抑えたコモンモードチョークコイルができる。
【実施例４】
【００２７】
図１０は、実施例４を示す構造図である。両端部に鍔の付いた第一と第二の磁性体コア11と21は、フェライトなどの磁性体である。第一と第二の磁性体コア11と21にコイル11と21が巻かれ、第一と第二のコイル10と20が作られる。第一と第二の磁性体コア11と21の両端の該鍔部に、実装のための電極13、14と23、24が設けられており、コイル11と21の両端がそれぞれの電極に溶着やろう付けなどで接続される。第一と第二の磁性体コア11と21の両端の該電極部に、配線基板に実装するための位置決め部材15、16、25、26が設けられる。回路基板回路基板上でコモンモードチョークコイルを構成するための、実装用の第一と第二のコイル10と20が作られる。
【００２８】
あらかじめ取り付け位置に穴が設けられた配線基板に、前記基板実装用の第一と第二のコイル10と20の端子15、16、25、26を、該配線基板の該取り付け穴に挿入することにより、該配線基板上で、磁性体コア11と21は磁性体コア11と21の両端の鍔部で接して磁気結合し、前記第一と第二のコイル10と20は、巻き線方向が逆に、隣接して配線基板に実装されコモンモードチョークコイルが構成される。磁性体コア11と21に巻かれた第一と第二のコイル10と20が、ディファレンシャル電流でできる磁束を互いに打ち消しあい、コモンモード電流でできる磁束を足し合わさるように機能する。該配線基板上にコモンモードチョークコイルが容易に構成され、信号伝送路間に発生する浮遊容量が小さい、ノイズ対策を有する回路基板を容易に作ることができる。
【実施例５】
【００２９】
本実施の形態のコモンモードチョークコイルの製造方法は、以下のようにして行う。図５に示すように、電気特性と磁気特性が同質の材料であるフェライトなどの磁性体を用い、磁性体コア11と21の長さ方向の両端部に鍔部を形成した、第一と第二の磁性体コア11と21を準備する。磁性体コア11と21の両端部の電極として、磁性体コア11と21の同一平面上の鍔部に実装のための金属電極13、14と23、24を設ける。第一と第二の磁性体コア11と21にコイルが巻かれ、第一と第二の２つのコイル10と20が作られる。第一と第二のコイル10、20は、互いに巻き線12と22の巻き方向が逆になるように巻かれる。コイル10と20の両端がそれぞれの電極13、14および23、24に溶着またはろう付けで接続される。第一および第二のコイル10と20のコイル軸に対して両コイルを並列に並べ、第一と第二のコイル10、20は、互いに巻き線12と22の巻き方向が逆になるように配置され、第一と第二の磁性体コア11、21の両端部の該鍔部を接着剤で接着させて磁気結合させ、コモンモードチョークコイルが構成される。第一および第二の磁性体コア11、21の両端鍔部の接触面が平滑なほど、2つの磁性体コアの磁気結合がよくなる。磁性体コア11、21の両端部に設けられる該鍔部の接合は、接着剤による接合だけでなく、磁性体コア11、21の両端部の該鍔部を密着させ、一体化部材で固定する方法によってもよい。磁性体コア11、21の両端部鍔の大きさを変えることにより、並列に並べた第一と第二のコイル10と20の間隔が変えられるので、これら信号伝送路間の浮遊容量Cが調整できる。
【００３０】
磁性体コア11と21の形状は、弓弧状、L字型、コの字型なども可能である。磁気結合部は、弓弧状では長さ方向の両端部で、L字型では「」状に上下部で、コの字状では〔〕状に上下部である。また、磁性体コア11と21の形状として、図６、図７に示す形状の磁性体コアを使ったコモンモードチョークコイルもできる。
【実施例６】
【００３１】
図１１は信号伝送路間の浮遊容量Cと伝送波形の歪みの関係を確認した結果である。伝送特性インピーダンスが100Ω、伝送速度が500Mbpsの条件下での差動信号の信号伝送路間の浮遊容量Cと信号波形（アイ・パターン）の関係をシミュレーションソフト「Spice」で評価した。信号伝送路間の浮遊容量Cが図１１の１では0ｐＦ、図１１の２では１ｐＦ、図１１の３では２ｐＦ、図１１の４では５ｐＦ、図１１の５では10ｐＦと、信号伝送路間の浮遊容量Cが大きくなると、図示するように差動信号のひずみが大きくなる。信号伝送路間の浮遊容量Cが５ｐF以上では信号波形が歪むため、信号伝送路間の浮遊容量Cが２ｐF以下のコモンモードチョークコイルが有用である。
【００３２】
また、信号伝送路間の浮遊容量Cが２ｐＦのとき、伝送速度が100Mbpsの時は信号伝送路間の浮遊容量Cが２ｐＦあってもほとんど信号波形は歪まないが、伝送速度が500 Mbps、で信号の立ち上がりに歪みが出はじめ、2Gbpsと速くなると信号波形の歪みが確認された。最近、速い差動信号が利用されるようになってきており、少なくともコモンモードチョークコイルの信号伝送路間の浮遊容量Cを２ｐF以下に小さくすることが極めて重要になる。コイルの間隔を離すことにより、信号伝送路間の浮遊容量Cを１ｐF以下にもできる本発明の効果は大きい。
【産業上の利用可能性】
【００３３】
デジタル機器が多くの分野で使われている。そのデジタル機器には代表的なインターフェース、USB、LAN、LVDSなど、差動信号伝送が広く活用され、差動信号伝送の高速化が進んでいる。高速化に伴い、信号伝送路のノイズ対策が必要であり、その対策にコモンモードチョークコイルは欠かすことの出来ない重要な部品となっている。しかし、差動信号伝送が高速になるノイズ対策では、コモンモードチョークコイルの浮遊容量が問題となり、安価で効果的な解決が望まれている。
【００３４】
本発明では、伝送信号が通るコイルを離すことにより、信号伝送路間の浮遊容量の小さなコモンモードチョークコイルを安価に提供することができ、デジタル電子機器の高速化、デジタル機器で産業への貢献が期待できる。
【００３５】
また  差動信号伝送のノイズ対策では、大きなノイズ対策効果を得るために、コモンモードチョークコイルのコイルの巻き数を多くし、大きなコモンモードインピーダンスを得ることが必要である。従来のコモンモードチョークコイルでは、コイル巻き数を増やすと信号伝送路間の浮遊容量が大きくなり、差動伝送信号が歪む。そのため、コモンモードインピーダンスを増大させることができない問題があった。しかし  本発明では、巻き線数と信号伝送路間の浮遊容量は直接関係しないので大きいコモンモードインピーダンスのコモンモードチョークコイルも実現でき、大きなノイズ対策効果を得られる。この面でも各種電子機器への貢献も期待できる。
【図面の簡単な説明】
【００３６】
【図１】一般的に使われている従来のチップ型コモンモードチョークコイルの構造図。
【図２】リング型の従来例である。
【図３】コイルに磁性体コアを差し込む型の従来例である。
【図４】コモンモードチョークコイルの等価回路図である。
【図５】本発明の一実施例の構造図である。
【図６】本発明の一実施例の構造図である。
【図７】本発明の一実施例の構造図である。
【図８】本発明の一実施例の構造図である。
【図９】本発明の一実施例の構造図である。
【図１０】本発明の一実施例の構造図である。
【図１１】本発明の一実施例の測定結果図である。伝送特性インピーダンスが100Ω、伝送速度が500Mbps時の信号伝送路間の浮遊容量Cと伝送波形の歪みの関係図である。縦軸単位：電圧V、横軸単位：時間0.5μsec/div１：信号伝送路間の浮遊容量Cが０ｐFの場合２：信号伝送路間の浮遊容量Cが１ｐFの場合３：信号伝送路間の浮遊容量Cが２ｐFの場合４：信号伝送路間の浮遊容量Cが５ｐFの場合５：信号伝送路間の浮遊容量Cが１０ｐFの場合
【符号の説明】
【００３７】
１  磁性体コア
２  閉磁路を形成するための磁性体
３  巻き線
４  電極
５  電極
６  巻き線
７  電極
８  電極
１０  コイル
１１  磁性体コア
１２  巻き線
１３  電極
１４  電極
１５  位置決め部材
１６  位置決め部材
１９、２９  ボビン
２０  コイル
２１  磁性体コア
２２  巻き線
２３  電極
２４  電極
２５  位置決め部材
２６  位置決め部材
２７  一体化部材
【図１】
2010153684.tif 000003
【図２】
2010153684.tif 000004
【図３】
2010153684.tif 000005
【図４】
2010153684.tif 000006
【図５】
2010153684.tif 000007
【図６】
2010153684.tif 000008
【図７】
2010153684.tif 000009
【図８】
2010153684.tif 000010
【図９】
2010153684.tif 000011
【図１０】
2010153684.tif 000012
【図１１】
2010153684.tif 000013